(57)【要約】【課題】組付け可能な枠体を提供する。【解決手段】舞台等のステージ上に設けられ正面視の外形が略矩形状に形成された枠体１であって、左右方向に平板状に延びて下側枠部となる基台１０と、基台１０の上面１０´側に上下方向に平板状に延びるように立設し相互に対向する左側枠部２０および右側枠部３０と、左側枠部２０および右側枠部３０の上端２０ａ，３０ａ側に設けられ左右方向に平板状に延びる上側枠部４０と、を有し、基台１０は、上面１０´側の左側に左側穴部１１を有するとともに、右側に右側穴部１２を有し、左側枠部２０および右側枠部３０の下端部２０ａ´，３０ａ´は、基台１０の上面１０´側の左側穴部１１および右側穴部１２に嵌め込まれて組付け可能とするとともに、左側枠部２０の上端縁２１は、上側枠部４０の内面４０´側の左側縁部４１と組付け可能とし、右側枠部３０の上端縁３１は、上側枠部４０の内面４０´側の右側縁部４２と組付け可能とする。【選択図】図１
2020116290.tif 000002
【特許請求の範囲】
【請求項１】
ステージ上に設けられる枠体であって、
組立可能とすることを特徴とする枠体。
【請求項２】
ステージ上に設けられる枠体であって、
下側枠部となる基台と、前記基台に立設し相互に対向する左側枠部および右側枠部と、前記左側枠部および前記右側枠部の上端側に設けられる上側枠部と、を有し、
前記左側枠部および前記右側枠部は、前記基台に組付け可能とするとともに、前記左側枠部および前記右側枠部は、前記上側枠部と組付け可能とすることを特徴とする枠体。
【請求項３】
前記上側枠部は、前記基台との間隔を奥側から手前側に行くにしたがって漸次増加して上昇するように傾斜し、
前記左側枠部および前記右側枠部は、相互に外面間乃至内面間の間隔を奥側から手前側に行くにしたがって漸次増加してハの字状に傾斜することを特徴とする請求項２に記載の枠体。
【請求項４】
前記上側枠部は、前記組付けられる前記左側枠部および前記右側枠部の傾斜する外面側乃至内面側の形状に沿って左側縁部および右側縁部が相互に拡径するように傾斜するとともに、
前記左側枠部および前記右側枠部は、前記組付けられる前記上側枠部の上昇するように傾斜する縁部の形状に沿って上端縁が前記基台との間隔を奥側から手前側に行くにしたがって漸次増加して上昇するように傾斜することを特徴とする請求項３に記載の枠体。
【請求項５】
前記左側枠部および前記右側枠部の上端縁は、山型とするとともに、前記上側枠部の内面側の左側縁部は、前記左側枠部の山型に対応する山型の左側凹部を設けて、前記左側枠部の上端縁は、前記左側凹部に嵌め込まれ、かつ、前記上側枠部の内面側の右側縁部は、前記右側枠部の山型に対応する山型の右側凹部を設けて、前記前記右側枠部の上端縁は、前記右側凹部に嵌め込まれることを特徴とする請求項４に記載の枠体。
【請求項６】
前記左側凹部は、前記左側枠部の上端縁を嵌め込んだときに、前記左側枠部の外面側の上端の縁部と当接し左側端部に下方に突出する左側突出部を有するとともに、前記右側凹部は、前記右側枠部の上端縁を嵌め込んだときに、前記右側枠部の外面側の上端の縁部と当接し右側端部に下方に突出する右側突出部を有し、前記左側突出部および前記右側突出部により、前記左側枠部の外面側の上端の縁部および前記右側枠部の外面側の上端の縁部を、内側に抑えることを特徴とする請求項５に記載の枠体。
【請求項７】
前記左側枠部および前記右側枠部の山型は、外側に形成される外側山稜部と内側に形成される内側山稜部を有するとともに、前記上側枠部の左側凹部および右側凹部は、前記各山稜部に対応する外側山稜部および内側山稜部を有することを特徴とする請求項６に記載の枠体。
【請求項８】
前記上側枠部の外面側、前記凹部の外側山稜部、前記左側枠部および前記右側枠部の上端縁の外側山稜部は、前記凹部に前記上端縁を嵌め込んだときに、相互に平行となることを特徴とする請求項７に記載の枠体。
【請求項９】
前記凹部に前記上端縁を嵌め込んだときに、前記上側枠部の外面側から前記凹部の外側山稜部に貫通し、更に前記左側枠部および前記右側枠部の上端縁の外側山稜部の所定深さまで達する孔を設けるとともに、前記孔は、前記上側枠部の外面側、前記凹部の外側山稜部、記左側枠部および前記右側枠部の上端縁の外側山稜部に対し直交する方向に設けられ、前記穴に留め具を打ち込むことを特徴とする請求項８に記載の枠体。
【請求項１０】
前記留め具は、ビスとすることを特徴とする請求項９に記載の枠体。
【請求項１１】
前記左側枠部および前記右側枠部は、後端部に内側に突出する突出部を設け、前記凹部に前記上端縁を嵌め込んだときに、前記突出部の上端により前記上側枠部の内面側を支持することを特徴とする請求項１０に記載の枠体。
【発明の詳細な説明】
【技術分野】
【０００１】
本発明は、枠体に関し、特に舞台等のステージ上に設けられ正面視の外形が略矩形状に形成された枠体に関する。
【背景技術】
【０００２】
従来から学校等の体育館には、学芸会、学校際に使用される大型の枠体が備えられている。この枠体は、舞台等のステージ上に設けられ、枠体の内部側で演劇、演奏等が行われる。
【発明の概要】
【発明が解決しようとする課題】
【０００３】
ところで、上述した枠体は、予め完成した状態で納入されることが多いが、大型のため、納入には困難を極めていた。このため、個々の部位に分けることとして納入し易くし、組み立ては納入後とすることが強く望まれていた。
【０００４】
本願発明は上記事情に鑑みてなされたものであり、組付け可能な枠体を提供することを目的とする。
【課題を解決するための手段】
【０００５】
上記目的を達成するために、請求項１に係る枠体の発明は、ステージ上に設けられる枠体であって、組立可能とすることを特徴とする。
【０００６】
上記目的を達成するために、請求項２に係る枠体の発明は、ステージ上に設けられる枠体であって、下側枠部となる基台と、前記基台に立設し相互に対向する左側枠部および右側枠部と、前記左側枠部および前記右側枠部の上端側に設けられる上側枠部と、を有し、前記左側枠部および前記右側枠部は、前記基台に組付け可能とするとともに、前記左側枠部および前記右側枠部は、前記上側枠部と組付け可能とすることを特徴とする。
【発明の効果】
【０００７】
本発明によれば、組付け可能な枠体を提供することができる。
【図面の簡単な説明】
【０００８】
【図１】本発明の実施形態に係る枠体の構成を示す正面図である。
【図２】同枠体の構成を示す側面図である。
【図３】同枠体の構成を示す背面図である。
【図４】同枠体の構成を示す平面図である。
【図５】同枠体の基台の構成を示す図で、（ａ）は平面図、（ｂ）は正面図である。
【図６】同枠体の左右の枠部を示す図で、（ａ）は左側枠部を示す斜視図、（ｂ）は右側枠部を示す斜視図である。
【図７】同枠体の上側枠部を示す図で、（ａ）は上側枠部の左側面図、（ｃ）は上側枠部の左側の正面断面図、（ｃ）は上側枠部の右側面図、（ｄ）は上側枠部の右側の正面断面図である。
【図８】同枠体の上側枠部と左側枠部および右側枠部との組付け方法を説明するための図で、（ａ）は組付け前の状態を示す正面断面図、（ｂ）は組付け後の状態を示す正面断面図である。
【図９】同枠体に側板および上板を設けた構成を示す側面図である。
【図１０】同枠体に側板および上板を設けた構成を示す平面図である。
【発明を実施するための形態】
【０００９】
以下、本発明の実施形態に係る枠体について図面を参照して詳細に説明する。図１は、本発明の実施形態に係る枠体１の構成を示す正面図、図２は、同枠体１の構成を示す側面図、図３は、同枠体の構成を示す背面図、図４は、同枠体の構成を示す平面図、図５は、同枠体の基台の構成を示す図、図６は、同枠体の左右の枠部を示す図、図７は、同枠体の上側枠部を示す図、図８は、同枠体の上側枠部と左側枠部および右側枠部との組付け方法を説明するための図、図９は、同枠体に側板および上板を設けた構成を示す側面図、図１０は、同枠体に側板および上板を設けた構成を示す平面図である。
【００１０】
本発明の枠体１は、舞台等のステージ上に設けられ正面視の外形が略矩形状に形成された枠体１であって、組立可能となっている。
【００１１】
図１乃至図８に示すように、枠体１は、基台１０、左側枠部２０、右側枠部３０、上側枠部４０を有している。
【００１２】
基台１０は、左右方向に平板状に延びており、枠体１の下側枠部となるものである。左側枠部２０および右側枠部３０は、基台１０の上面１０´側に上下方向に平板状に延びるように立設しており、相互に対向して配置されている。上側枠部４０は、左側枠部２０および右側枠部３０の上端２０ａ，３０ａ側に設けられており、左右方向に平板状に延びている。
【００１３】
基台１０は、上面１０´側の左側に第１の左側穴部１１を有するとともに、右側に第１の右側穴部１２を有している。すなわち、左側枠部２０の下端部２０ａ´は、第１の左側穴部１１に嵌め込まれて組付け可能となっており、右側枠部３０の下端部３０ａ´は、第１の右側穴部１２に嵌め込まれて組付け可能となっている。左側枠部２０の上端縁２１は、上側枠部４０の内面４０´側の左側縁部４１と組付け可能となっており、右側枠部３０の上端縁３１は、上側枠部４０の内面４０´側の右側縁部４２と組付け可能となっている。
【００１４】
ここで、基台１０は、略水平に配置されている。そして、上側枠部４０は、基台１０と非平行とし、基台１０と外面４０´´側乃至内面４０´側との間隔を奥側から手前側に行くにしたがって漸次増加して上昇するように傾斜している。また、左側枠部２０および右側枠部３０は、相互に非平行とし、相互に外面２０´´，３０´´間乃至内面２０´，３０´間の間隔を奥側から手前側に行くにしたがって漸次増加してハの字状に拡開するように傾斜している。なお、基台１０の第１の左側穴部１１および第１の右側穴部１２は、左側枠部２０および右側枠部３０の傾斜に対応して、相互に間隔を奥側から手前側に行くにしたがって漸次増加しハの字状に拡開するように傾斜して設けられている。
【００１５】
すなわち、上側枠部４０は、組付けられる左側枠部２０および右側枠部３０の拡開するように傾斜する外面２０´´，３０´´側乃至内面２０´，３０´側の形状に沿って左側縁部４１および右側縁部４２が相互に拡径するように傾斜しており、平面視が略台形形状となっている。
【００１６】
また、左側枠部２０および右側枠部３０は、組付けられる上側枠部４０の上昇するように傾斜する縁部４１，４２の形状に沿った形状となっており、上端縁２１，３１が基台１０との間隔を奥側から手前側に行くにしたがって漸次増加して上昇するように傾斜して、側面視が略台形形状となっている。
【００１７】
更に、左側枠部２０および右側枠部３０の上端縁２１，３１は、正面視が山型とするとともに、上側枠部４０の内面４０´側の左側縁部４１は、左側枠部２０の山型に対応する山型の左側凹部４３を設けており、左側枠部２０の上端縁２１は、左側凹部４３に嵌め込まれる。また、上側枠部４０の内面４０´側の右側縁部４２は、右側枠部３０の山型に対応する山型の右側凹部４４を設けており、右側枠部３０の上端縁３１は、右側凹部４３に嵌め込まれる。
【００１８】
ここで、左側凹部４３は、左側枠部２０の上端縁２１を嵌め込んだときに、左側枠部２０の外面２０´´側の上端の縁部２０ａ´´と当接し下方に突出する左側突出部４３ａを左側端部に有している。また、右側凹部４４は、右側枠部３０の上端縁３１を嵌め込んだときに、右側枠部３０の外面３０´´側の上端の縁部３０ａ´´と当接し下方に突出する右側突出部４４ａを右側端部に有している。これら左側突出部４３ａおよび右側突出部４４ａにより、左側枠部２０の外面２０´´側の上端の縁部２０ａ´´および右側枠部３０の外面３０´´側の上端の縁部３０ａ´´を、内側に抑えることができる。
【００１９】
更に、左側枠部２０および右側枠部３０の山型は、外側に形成される外側山稜部２２，３２と内側に形成される内側山稜部２３，３３を有している。上側枠部４０の左側凹部４３および右側凹部４４は、各山稜部２２，２３，３２，３３に対応する外側山稜部４３ｂ，４４ｂおよび内側山稜部４３ｃ，４４ｃを有している。
【００２０】
すなわち、上側枠部４０の左側凹部４３および右側凹部４４に左側枠部２０および右側枠部３０の上端縁２１，３１を嵌め込んだときに、上側枠部４０の外面４０´´側、左側凹部４３および右側凹部４４の外側山稜部４３ｂ，４４ｂ、左側枠部２０および右側枠部３０の上端縁２１，３１の外側山稜部２２，３２は、相互に平行となるように設けられている。
【００２１】
そして、枠体１は、所定の孔５０，５１を有しており、孔５０，５１は、上側枠部４０の左側凹部４３および右側凹部４４に左側枠部２０および右側枠部３０の上端縁２１，３１を嵌め込んだときに、上側枠部４０の外面４０´´側から左側凹部４３および右側凹部４４の外側山稜部４３ｂ，４４ｂに貫通し、左側枠部２０および右側枠部３０の上端縁２１，３１の外側山稜部２２，３２の所定深さまで達するように設けられている。更に、孔５０，５１は、上側枠部４０の外面４０´´側、左側凹部４３および右側凹部４４の外側山稜部４３ｂ，４４ｂ、左側枠部２０および右側枠部３０の上端縁２１，３１の外側山稜部２２，３３に対し直交する方向に設けられており、孔５０，５１には、所定の留め具６０を打ち込むことができる。留め具６０は、例えばビスとすることができる。
【００２２】
更に、左側枠部２０および右側枠部３０は、後端部に左右方向の内側に突出する突出部２４，３４を設けており、上側枠体４０の左側凹部４３および右側凹部４４に上端縁２１，３１を嵌め込んだときに、突出部２４，３４の上端により上側枠部４０の内面４０´側を支持することができる。
【００２３】
ここで、図９および図１０に示すように、基台１０は、第１の左側穴部１１および第１の右側穴部１２の奥側であって、上面１０´側の左側に第２の左側穴部１１´を設け、かつ、上面１０´側の右側に第２の右側穴部１２´を設けている。第２の左側穴部１１´および第２の右側穴部１２´は、奥側に相互に平行に延びており、これら第２の左側穴部１１´および第２の右側穴部１２´に平板状の側板７０を組付け可能としている。これにより、枠体１の奥側の側方を更に閉塞することができ、舞台等のステージの奥行を大きくすることができる。
【００２４】
また、上側枠部４０は、後端部に奥側に突出する突出部４５を設けており、第２の左側穴部１１´および第２の右側穴部１２´に平板７０を組付けたときに、側板７０の上端で突出部４５を支持することができる。これにより、上側枠部４０の安定した組付け状態を確保することができる。
【００２５】
また、突出部４５は、上面４５´が基台１０の上面１０´と平行な平坦面とするとともに、枠体１は、突出部４５の上面４５´および奥側の側方を閉塞する側板７０に支持される平板状の上板８０を更に有しており、上板８０により奥側の上方を閉塞することができる。
【００２６】
なお、上述した基台１０、左側枠部２０、右側枠部３０、上側枠部４０、側板７０，上板８０は、木製としている。
【符号の説明】
【００２７】
１：枠体
１０：基台
１０´：上面
１１：第１の左側穴部
１１´：第２の左側穴部
１２：第１の右側穴部
１２´：第２の左側穴部
２０：左側枠部
２０ａ：上端
２０ａ´：下端部
２０´´：外面
２０ａ´´：縁部
２１：上端縁
２２：外側山稜部
２３：内側山稜部
２４：突出部
３０：右側枠部
３０ａ：上端
３０ａ´：下端部
３０´´：外面
３０ａ´´：縁部
３１：上端縁
３２：外側山稜部
３３：内側山稜部
３４：突出部
４０：上側枠部
４０´：内面
４０´´：外面
４１：左側縁部
４２：右側縁部
４３：左側凹部
４３ａ：左側突出部
４３ｂ：外側山稜部
４３ｃ：内側山稜部
４４：右側凹部
４４ａ：右側突出部
４４ｂ：外側山稜部
４４ｃ：内側山稜部
４５：突出部
４５：´：上面
５０，５１：孔
６０：留め具
７０：側板
８０：上板
【図１】
2020116290.tif 000003
【図２】
2020116290.tif 000004
【図３】
2020116290.tif 000005
【図４】
2020116290.tif 000006
【図５】
2020116290.tif 000007
【図６】
2020116290.tif 000008
【図７】
2020116290.tif 000009
【図８】
2020116290.tif 000010
【図９】
2020116290.tif 000011
【図１０】
2020116290.tif 000012